(57)【要約】【課題】計量装置において、自分の体重値を他人に知られないよう、計量データを所定の装置へ送信する計量データ通信方法および通信システムを提供する。【解決手段】計量装置１０は、非接触ＩＣ読取装置１１１を具備し、携帯電話２０に付属した非接触ＩＣタグ３０に記憶されているＩＣ固有の識別情報を読み取る。利用者が計量装置１０で体重を計量すると、ＣＰＵ１０１は計量データと非接触ＩＣ読取装置１１１で読み取った識別情報を制御装置４０に送る。制御装置４０は、データファイルを有する管理装置５０に電子メールで送信する。管理装置５０は、受信した識別情報に基づいてデータファイルから宛先の電子メールアドレスを特定し、計量データを該アドレスに送信する。【選択図】　　　図１
2004096195.tif 000002
【特許請求の範囲】
【請求項１】
計量装置に具備された読取装置が、宛先データ若しくは識別情報を携帯可能な媒体から読み取る第１の過程と、
前記計量装置にて計量されると、計量データを前記媒体から読み取られた宛先データ若しくは識別情報に関連付けされた宛先データを持つ装置へ送信する第２の過程と
を有する計量データ通信方法。
【請求項２】
前記携帯可能な媒体は非接触ＩＣであることを特徴とする請求項１記載の計量データ通信方法。
【請求項３】
前記宛先データを持つ装置は携帯移動通信端末であって、前記宛先データが該携帯移動通信端末の電子メールアドレスであり、かつ、前記媒体が前記携帯移動通信端末に付加されていることを特徴とする請求項１及び２記載の計量データ通信方法。
【請求項４】
前記宛先データを持つ装置は携帯電話であって、前記宛先データが該携帯電話の電子メールアドレスであり、かつ、前記媒体が前記携帯電話に付加されていることを特徴とする請求項１及び２記載の計量データ通信方法。
【請求項５】
宛先データ若しくは識別情報を保持する携帯可能な媒体と、
前記媒体の保持する宛先データ若しくは識別情報を読み取る読取装置が備えられた計量装置と、
前記媒体の保持する内容が前記読取装置により読み取られ、前記計量装置にて計量されると、計量データを読み取られた前記宛先データ若しくは識別情報に関連付けされた宛先データを持つ装置に送信する送信手段と
を具備する計量データ通信システム。
【請求項６】
前記携帯可能な媒体は非接触ＩＣであることを特徴とする請求項５記載の計量データ通信システム。
【請求項７】
前記宛先データをもつ装置は携帯移動通信端末であって、前記宛先データが該携帯移動通信端末の電子メールアドレスであり、かつ、前記媒体が前記携帯移動通信端末に付加されていることを特徴とする請求項５及び６記載の計量データ通信システム。
【請求項８】
前記宛先データをもつ装置は携帯電話であって、前記宛先データが該携帯電話の電子メールアドレスであり、かつ、前記媒体が前記携帯電話に付加されていることを特徴とする請求項５及び６記載の計量データ通信システム。
【発明の詳細な説明】
【０００１】
【発明の属する技術分野】
本発明は、計量データを所定の宛先へ送信する計量データ通信方法および通信システムに関する。
【０００２】
【従来の技術】
通常、体重を計量する場合、表示器のついた計量装置に乗って測定を行い、表示器に表示された値を自分の体重値として確認し、計量装置の表示器は、測定された本人以外の人も見えるように配置されている。
【０００３】
また、集団検診やスポーツジムなど、不特定多数の人が集まる場所にも計量装置が備え付けてあり、利用者は、外出先や運動中でも自分の体重値を知ることができ、自己の健康管理に役立てている。
【０００４】
【発明が解決しようとする課題】
しかし、不特定多数の人が集まる場所で体重を計量する場合、計量装置の表示器に体重値が表示されるので、他人に自分の体重値が見られてしまう蓋然性がある。そして、他人に自分の体重値という個人情報が知られてしまうのを苦痛に思う人もいるため、自分の体重値を他人に見られずに計量できるシステムが望まれている。
【０００５】
この発明はこのような点を鑑みてなされたもので、体重を計量した際に自分の体重値を他人に知られないよう、計量データを計量装置に表示せず、他人に見られるおそれがない所定の装置へ送信して提示する計量データ通信方法および通信システムを提供することを目的としている。
【０００６】
【課題を解決するための手段】
上記した目的を達成するために、請求項１記載の計量データ通信方法は、計量装置に具備された読取装置が、宛先データ若しくは識別情報を携帯可能な媒体から読み取る第１の過程と、前記計量装置にて計量されると、計量データを前記媒体から読み取られた宛先データ若しくは識別情報に関連付けされた宛先データを持つ装置へ送信する第２の過程とを有する。
【０００７】
請求項２記載の発明は、請求項１記載の計量データ通信方法において、前記携帯可能な媒体は非接触ＩＣであることを特徴とする。
【０００８】
請求項３記載の発明は、請求項１及び２記載の計量データ通信方法において、前記宛先データをもつ装置は携帯移動通信端末であって、前記宛先データが該携帯移動通信端末の電子メールアドレスであり、かつ、前記媒体が前記携帯移動通信端末に付加されていることを特徴とする。
【０００９】
請求項４記載の発明は、請求項１及び２記載の計量データ通信方法において、前記宛先データをもつ装置は携帯電話であって、前記宛先データが該携帯電話の電子メールアドレスであり、かつ、前記媒体が前記携帯電話に付加されていることを特徴とする。
【００１０】
請求項５記載の計量データ通信システムは、宛先データ若しくは識別情報を保持する携帯可能な媒体と、前記媒体の保持する宛先データ若しくは識別情報を読み取る読取装置が備えられた計量装置と、前記媒体の保持する内容が前記読取装置により読み取られ、前記計量装置にて計量されると、計量データを読み取られた前記宛先データ若しくは識別情報に関連付けされた宛先データを持つ装置に送信する送信手段とを具備する。
【００１１】
請求項６記載の発明は、請求項５記載の計量データ通信システムにおいて、前記携帯可能な媒体は非接触ＩＣであることを特徴とする。
【００１２】
請求項７記載の発明は、請求項５及び６記載の計量データ通信システムにおいて、前記宛先データをもつ装置は携帯移動通信端末であって、前記宛先データが該携帯移動通信端末の電子メールアドレスであり、かつ、前記媒体が前記携帯移動通信端末に付加されていることを特徴とする。
【００１３】
請求項７記載の発明は、請求項５及び６記載の計量データ通信システムにおいて、前記宛先データをもつ装置は携帯電話であって、前記宛先データが該携帯電話の電子メールアドレスであり、かつ、前記媒体が前記携帯電話に付加されている
ことを特徴とする。
【００１４】
【発明の実施の形態】
以下、図面を参照して本発明の実施の形態を説明する。
図１は、本発明の一実施形態に係る計量データ通信システムの概略構成を示すブロック図である。図１において計量装置１０は、計量装置全体の動作を制御するＣＰＵ（中央処理装置）１０１、ＣＰＵ１０１の動作プログラムを記憶するＲＯＭ（リードオンリメモリ）１０２、ＣＰＵ１０１が動作するために必要なワークエリアやフラグ、さらに必要なファイルや設定データ等を記憶するＲＡＭ（ランダムアクセスメモリ）１０３、利用者とのインターフェースとなる液晶表示器１０４、エラー表示器１０５、液晶表示器１０４とエラー表示器１０５を制御する表示制御部１０８、操作キー１０６、操作キー１０６を制御する操作制御部１０７、計量部となるロードセル１０９、ロードセルを制御するロードセル制御部１１０、非接触ＩＣ読取装置１１１を有する。
【００１５】
非接触ＩＣ読取装置１１１は、非接触ＩＣタグ３０と通信を行い、該ＩＣ内に記憶されている情報を読み出す。携帯電話２０は、利用者が所有する携帯電話であり、電子メール送受信機能を具備している。非接触ＩＣタグ３０は、例えば携帯電話２０のストラップに付属されており、ＩＣ固有の識別情報が記憶されている。また、非接触ＩＣタグ３０にはアンテナパターンが形成されており、ＩＣチップに内蔵された容量素子とにより共振回路を形成している。共振回路は、非接触ＩＣ読取装置１１１から一定周波数の電波を受信し、非接触ＩＣタグ３０内に記憶されているデータを非接触ＩＣ読取装置１１１に送信する。
【００１６】
制御装置４０は計量装置１０と接続されており、電子メール送受信機能を備え、ＣＰＵ１０１から出力されるデータをインターネットＮを介して管理装置５０に送信する。
【００１７】
管理装置５０は、利用者の計量データを管理する装置であり、宛先データファイルや個別データファイルを有し、ＡＳＰ（Ａｐｐｌｉｃａｔｉｏｎ　Ｓｅｒｖｉｃｅ　Ｐｒｏｖｉｄｅｒ）によって構成されている。宛先データファイルと個別データファイルの例を図２に示す。ここで、宛先データファイルは、非接触ＩＣタグ３０に記憶されているＩＣ固有の識別情報や送信する電子メールアドレスの宛先データ、また該宛先データへ計量データを送信した回数としての累積使用回数がデータベースとして記録されている。
一方、個別データファイルは、各識別情報によって判別される宛先データ、計量データと計量した日付や時間がデータベースとして記録されている。
また、管理装置５０は、制御装置４０より受信した非接触ＩＣタグ３０に記憶されている識別情報に基づいて、宛先データファイルまたは個別データファイルと関連づけ、計量データを所定の宛先へ送信する。
【００１８】
図３は計量装置１０の外観図であり、この図において、１は電源キー、２は載置部、４は計量部、５はデータ送信を指示する送信キー、６ａ〜６ｃは過去の計量データを参照する履歴キーである。電源キー１、送信キー５、履歴キー６ａ〜６ｃは、図１における操作キー１０６であり、操作制御部１０７によって制御される。計量部４はロードセル１０９を具備する。
【００１９】
履歴キー６ａ〜６ｃは、それぞれ異なる履歴を呼び出すよう設定されている。３つの履歴キーは以下のように設定されている。
＜履歴１（６ａ）＞　前回の計量データと今回の計量データを送信する
＜履歴２（６ｂ）＞　過去３回の計量データと今回の計量データを送信する
＜履歴３（６ｃ）＞　過去５回の計量データと今回の計量データを送信する
【００２０】
液晶表示器１０４は利用者にメッセージを提示し、エラー表示器１０５は処理のエラーがあった際に点灯する。
【００２１】
次に、計量装置１０の動作について図４に示すフローチャートを参照して説明する。
図４において、先ず、計量装置１０の電源キー１が押されて電源が投入される（ステップＳ１）。次に、ＣＰＵ１０１は液晶表示器１０４に「携帯電話を置いて下さい」のメッセージを表示する（ステップＳ３）。利用者が非接触ＩＣタグ３０のついた携帯電話２０を載置部２に設置すると、非接触ＩＣ読取装置１１１は、携帯電話２０に付属した非接触ＩＣタグ３０に記憶された識別情報を読み取ることができるか判断する（ステップＳ５）。読取ができなかった場合、ＣＰＵ１０１はエラー表示器１０５を点灯させ（ステップＳ７）、ステップＳ３の処理に戻る。
読取ができた場合、利用者が計量部４に乗ると、ＣＰＵ１０１が計量を行う（ステップＳ９）。すなわち、ロードセル制御部１１０が出力する計量データを読み込み、ＲＡＭ１０３に記憶させる。
【００２２】
計量後、ＣＰＵ１０１は利用者に、３つの履歴キー６ａ〜６ｃのうち１つを選択させる（ステップＳ１１）。本実施例では、履歴キー６ａを選択したものとする。次に、利用者が送信キー５を押すと、ＣＰＵ１０１は非接触ＩＣ読取装置１１１で読み取った非接触ＩＣタグ３０の識別情報、選択された履歴１の設定内容、今回計量した計量データを制御装置４０に送る（ステップＳ１３）。送信が終了すると、ＣＰＵ１０１は液晶表示器１０４に「送信終了」のメッセージを表示させる（ステップＳ１５）。
【００２３】
次に、制御装置４０は管理装置５０に、該識別情報、選択された履歴１の設定内容、今回の計量データを電子メールで送信する（ステップＳ１７）。ステップＳ１７の処理終了後、計量装置の動作はステップＳ３の処理に戻る。
【００２４】
次に、管理装置５０の動作について図５に示すフローチャートを参照して説明する。
図５において、管理装置５０は受信した該識別情報を個別データファイルに関連付けし、今回の計量データを書き込む（ステップＳ１９）。また、管理装置５０は、制御装置４０から送信された履歴１の設定内容をもとに、個別データファイルから該識別情報の前回の計量データを取り込む（ステップＳ２１）。
次に、管理装置５０は該識別情報を個別データファイルに関連付けし、計量データを送信する電子メールアドレスの宛先を特定する（ステップＳ２３）。
次に、管理装置５０は、該識別情報を宛先データファイルに関連付けし、累積使用回数に「１」を加える（ステップＳ２５）。
【００２５】
次に、管理装置５０は、ステップＳ２３で特定した電子メールアドレスの宛先に、履歴１の設定である前回の計量データと今回の計量データを送信する（ステップＳ２７）。
【００２６】
以上説明したように、本実施形態によれば、計量した自分の体重値が、制御装置４０を介して管理装置５０に送信され、管理装置５０内のデータベースに記録され、自分の携帯電話の電子メールアドレスに送信される。これにより、自分の携帯電話という個人で使用する装置にデータが送信されることで、他人に自分の体重値を知られることがない。またデータベースに記録されることで、過去の自分の体重値を履歴キーの設定により参照することができる。
【００２７】
以上、本発明の実施形態について図面を参照して詳述してきたが、具体的な構成はこの実施形態に限られるものではなく、本発明の要旨を逸脱しない範囲の設計変更等も含まれる。
【００２８】
なお、上記実施形態において、非接触ＩＣタグには識別情報が記憶されており、その識別情報に関連付けられた宛先データへ計量データを送信するようになっているが、前記非接触ＩＣタグに予め宛先データが記憶されていて、計量データを該宛先データへ送信するようにしても良い。
また、非接触ＩＣはいわゆる密着型、近接型、近傍型、マイクロ波型のいずれも用いてよく、非接触ＩＣ媒体を読取装置に載置したときに、記憶されている情報が読み取られる形式であればよい。また、非接触ＩＣの伝送方式も、電磁誘導作用を利用した電磁誘導方式やマイクロ波帯を利用した電波方式などを用いてもよい。
【００２９】
また、上記実施形態では、携帯可能な媒体を非接触ＩＣタグとしたが、非接触ＩＣカードでも、接触ＩＣでも、磁気カードでも、バーコードが付されたカードでも、バーコードが印字された用紙やラベルでも良い。特に磁気カードやバーコードでは安価になる。
【００３０】
また、計量データを管理装置に送信するために、電子メール送受信機能を備えた制御装置を介した構成としたが、本発明はこれに限定されるものではなく、計量装置に電子メール送受信機能を備えて、制御装置を介せずに管理装置に直接データ送信をする構成としてもよい。
一方、制御装置が宛先データファイルを備えており、かつ、計量装置から送られた識別情報を宛先データファイルに関連付けし、計量データを所定の宛先へ送信するプログラムを備えて、管理装置を介せず直接宛先へ計量データを送信する構成としてもよい。
【００３１】
また、上記実施形態では、宛先データを持つ装置は携帯電話としたが、電子メールアドレスを持つことのできるパーソナルコンピュータまたはＰＤＡ（Ｐｅｒｓｏｎａｌ　Ｄｉｇｉｔａｌ　Ａｓｓｉｓｔａｎｃｅ）に本発明を適用してもよい。
また、上記実施形態では表示器付き計量装置を用いたが、表示器を用いなくてもよい。
【００３２】
また、携帯電話の電子メールアドレスを記憶させた非接触ＩＣタグを、スポーツジムなどの会員の特典として配布してもよい。また、会員と非会員で該非接触ＩＣタグを使用できる回数に差を設けてもよい。
また、本発明の計量装置を様々な場所に配置し、さらに宛先データを記憶させた非接触ＩＣタグを一般に販売して、不特定の人に使用してもらうようにしてもよい。
【００３３】
【発明の効果】
以上の説明で明らかなように、本発明によれば、宛先データ若しくは識別情報を保持する携帯可能な媒体の情報を読取装置で読み取り、宛先データを持つ装置に計量データを送信するので、計量装置にて計量データが知られることがない。例えば、計量結果が計量装置に表示されず、計量した本人のみ体重値を知ることができ、他人に見られるおそれがない。
【００３４】
また、携帯可能な媒体は非接触ＩＣであるので、水、埃、塵などの汚れに強い。また、データの書き換えが可能である。
【００３５】
また、宛先データをもつ装置は携帯移動通信端末であって、宛先データは携帯移動通信端末の電子メールアドレスであり、携帯可能な媒体は携帯移動通信端末に付加されているので、外出先でも計量したその場ですぐに、該携帯移動通信端末にて計量データを確認することができる。
【００３６】
また、宛先データをもつ装置は携帯電話であって、宛先データは携帯電話の電子メールアドレスであり、携帯可能な媒体は携帯電話に付加されているので、外出先でも計量したその場ですぐに、該携帯電話にて計量データを確認することができる。
【図面の簡単な説明】
【図１】本発明の一実施形態による計量データ通信方法および通信システムの概略構成を示すブロック図である。
【図２】同上の実施形態において使用される宛先データファイルと個別データファイルの例である。
【図３】同上の実施形態における計量装置１０の外観図である。
【図４】同上の実施形態における計量装置１０の動作を示すフローチャートである。
【図５】同上の実施形態における管理装置５０の動作を示すフローチャートである。
【符号の説明】
１０…計量装置、２０…携帯電話、３０…非接触ＩＣタグ、４０…制御装置、５０…管理装置、１０１…ＣＰＵ、１０２…ＲＯＭ、１０３…ＲＡＭ、１０４…液晶表示器、１０５…エラー表示器、１０８…表示制御部、１０６…操作キー、１０７…操作制御部、１０９…ロードセル、１１０…ロードセル制御部、１１１…非接触ＩＣ読取装置、１…電源キー、２…載置部、４…計量部、５…送信キー、６ａ〜６ｃ…履歴キー
【図１】
2004096195.tif 000003
【図２】
2004096195.tif 000004
【図３】
2004096195.tif 000005
【図４】
2004096195.tif 000006
【図５】
2004096195.tif 000007